(57)【要約】【課題】例えば高圧引下線の縁線切り離し作業を伴わない間接活線工法によって使用可能な高圧カットアウトスイッチ用カバーを提供する。【解決手段】口出用電線が引き出される筐体を備え、筐体の上面と下面との間に画成される側面にて口出用電線の端部どうしを電気的に遮断又は接続する高圧カットアウトスイッチにおける少なくとも側面を絶縁被覆する高圧カットアウトスイッチ用カバーにおいて、筐体に嵌合すべく、筐体の前記上面、側面、及び側面に隣接する面に対しそれぞれ相対すべき面を備えた絶縁シートと、絶縁シートに所定の固定部を介して固定され、筐体を挟持するクリップ手段と、を備えてなる。【選択図】      図１
2005251652.tif 000002
【特許請求の範囲】
【請求項１】
口出用電線が引き出される筐体を備え、当該筐体の上面と下面との間に画成される側面にて前記口出用電線の端部どうしを電気的に遮断又は接続する高圧カットアウトスイッチにおける少なくとも前記側面を絶縁被覆する高圧カットアウトスイッチ用カバーにおいて、
前記筐体に嵌合すべく、当該筐体の前記上面及び前記側面にそれぞれ相対すべき面を備えた絶縁シートと、
前記絶縁シートに所定の固定部を介して固定され、前記筐体を挟持するクリップ手段と、
を備えたことを特徴とする高圧カットアウトスイッチ用カバー。
【請求項２】
前記絶縁シートは、当該絶縁シートを前記筐体へ掛止すべく、当該筐体における前記側面に対する背面に相対する掛止部を備えたことを特徴とする請求項１に記載の高圧カットアウトスイッチ用カバー。
【請求項３】
前記絶縁シートは、当該絶縁シートを釣支するための釣支部を備えたことを特徴とする請求項１又は２に記載の高圧カットアウトスイッチ用カバー。
【請求項４】
前記絶縁シートは、平面形状に展開可能な樹脂製シートであることを特徴とする請求項１乃至３の何れかに記載の高圧カットアウトスイッチ用カバー。
【請求項５】
前記絶縁シートは、表面に接着部材を備え、当該接着部材どうしの接着又は剥離によって、前記筐体に嵌合する状態と前記平面形状の状態との間で変形することを特徴とする請求項４に記載の高圧カットアウトスイッチ用カバー。
【請求項６】
前記筐体は、前記口出用電線の端部どうしを電気的に遮断又は接続する前記側面たる第１側面と、当該第１側面に隣接し、前記口出用電線が引き出される前記側面たる第２側面とを有する略直方体形状をなし、
前記絶縁シートは、前記筐体に嵌合すべく、当該筐体の前記上面、前記第１側面、及び前記第２側面にそれぞれ相対すべき上面部、第１側面部、及び第２側面部を備えたことを特徴とする請求項１乃至５の何れかに記載の高圧カットアウトスイッチ用カバー。
【請求項７】
前記絶縁シートは、当該絶縁シートが前記筐体に嵌合するときに前記上面部及び前記第２側面部において表面が相互に重なる重複部を更に備えたことを特徴とする請求項６に記載の高圧カットアウトスイッチ用カバー。
【請求項８】
前記クリップ手段は、間接活線作業用工具によって前記筐体に対する前記挟持又は当該挟持の解除が可能であることを特徴とする請求項１乃至７の何れかに記載の高圧カットアウトスイッチ用カバー。
【発明の詳細な説明】
【技術分野】
【０００１】
本発明は、高圧カットアウトスイッチを絶縁被覆するための高圧カットアウトスイッチ用カバーに関する。
【背景技術】
【０００２】
高圧カットアウトスイッチは、高圧電線の工事等を行う際に、当該高圧電線の高圧回路を遮断することにより、工事中の感電等を防止する。例えば略直方体形状をなす筐体を備えた高圧カットアウトスイッチには、当該筐体の側面から引き出される口出用電線の電極である端部が当該筐体の正面に露出したものがある。この筐体はヒューズを収納した蓋を更に備え、当該蓋が当該筐体の正面に対して開閉されることによって、口出用電線の電極どうしが遮断又は接続される。よって、工事の際に高圧カットアウトスイッチの蓋を開けておけば、口出用電線による高圧回路は遮断される。
【０００３】
この高圧カットアウトスイッチには、安全のためのカバーがある。高圧カットアウトスイッチ用カバーは、高圧カットアウトスイッチにおける特に口出用電線の電極が露出した正面を絶縁被覆する。これによって、誤って蓋を閉じて高圧回路を接続してしまうことが防止される。つまり、この高圧カットアウトスイッチ用カバーによって、工事中の感電事故がより良く防止される。
【０００４】
このような高圧カットアウトスイッチ、及び従来の高圧カットアウトスイッチ用カバーの構成について、図面を参照しつつ説明する。図５に示されるように、従来の高圧カットアウトスイッチ用カバー３００は、例えば、高圧カットアウトスイッチ１０の上下面、正面、及び両側面を被覆するように略直方体形状をなすゴム素材からなる。ここで、高圧カットアウトスイッチ１０は、例えば、電柱の腕木１２に金具１４で固定された略直方体形状をなす筐体１６と、当該筐体１６の下部に設けられた蓋１８とからなる。この蓋１８には、ヒューズ２０が収納され、当該ヒューズ２０の電極をなす接触刃２２が設けられている。この高圧カットアウトスイッチ１０には、その筐体１６の両側面に４つの引出口（不図示）が設けられている。一般に、２本の口出用電線２６、２８は、この４つの引出口から選択される２つから筐体１６外に引き出される。尚、図５の例示においては、口出用電線２６、２８は、筐体１６の右側面から引き出されている。
【０００５】
また、このような高圧カットアウトスイッチ用カバー３００は、図５に示されるように、主として上面部３２０、正面部３４０、両側面部３６０、３８０、及び底面部４００からなり、更に当該上面部３２０から筐体１６の背面の一部にまで回り込んだ背面部（不図示）を備えている。これら両側面部３６０、３８０には、筐体１６の側面の４つの引出口と相対すべき位置にて、４つの管部４４０がそれぞれ設けられている。ここで、各管部４４０には切込み（不図示）が設けられており、当該切込みを開くことによって、口出用電線２６、２８を収納するようになっている。
【特許文献１】実開平２−１５０６３７号公報
【発明の開示】
【発明が解決しようとする課題】
【０００６】
しかしながら、前述したような高圧カットアウトスイッチ用カバー３００は、略直方体形状からの形状変化の柔軟性に乏しい。このため、高圧カットアウトスイッチ１０に対する取り付け及び取り外し作業の工程が複雑となり、当該作業は直接活線工法により行われていた。つまり、高圧カットアウトスイッチ１０に対する絶縁被覆の作業を間接活線工法によって行うことはできなかった。
【０００７】
例えば変圧器吊替作業の際には高圧カットアウトスイッチ１０をオフ状態にした後に、これを絶縁被覆しなければならない。この際、従来は、絶縁被覆を直接活線工法によって行っていたために、先ず高圧引下線の縁線切り離し作業を行わなければならなかった。更に、高圧カットアウトスイッチ１０が例えば高所作業車が使用できないような柱上にある場合、感電の虞があるため、直接活線工法を実施するために作業者が当該高圧カットアウトスイッチ１０に近づくことはできなかった。よって、従来は、高圧カットアウトスイッチ１０のオフ状態を伴う作業が非効率であった。
【０００８】
本発明は、かかる課題に鑑みてなされたものであり、その目的とするところは、例えば高圧引下線の縁線切り離し作業を伴わない間接活線工法によって使用可能な高圧カットアウトスイッチ用カバーを提供することにある。
【課題を解決するための手段】
【０００９】
前記課題を解決するための発明は、口出用電線が引き出される筐体を備え、当該筐体の上面と下面との間に画成される側面にて前記口出用電線の端部どうしを電気的に遮断又は接続する高圧カットアウトスイッチにおける少なくとも前記側面を絶縁被覆する高圧カットアウトスイッチ用カバーにおいて、前記筐体に嵌合すべく、当該筐体の前記上面及び前記側面にそれぞれ相対すべき面を備えた絶縁シートと、前記絶縁シートに所定の固定部を介して固定され、前記筐体を挟持するクリップ手段と、を備えてなる。
【００１０】
この高圧カットアウトスイッチ用カバーは、シートといった柔軟なものから主としてなり、よって柔軟な形状変化が可能であるため、前記筐体に嵌合し易い。例えば、前記口出用電線が前記側面から引き出されている場合でも、前記絶縁シートにおける当該側面に相対すべき面は、凹凸のある当該引き出し部分を被覆可能である。よって、前記高圧カットアウトスイッチに対する絶縁被覆の作業工程は単純化され、当該絶縁被覆自体もより良好となる。一方、前記絶縁シートは、前記筐体の前記上面及び前記側面にそれぞれ相対すべき面を備え、例えば当該筐体における前記側面に対する背面に相対すべき部分が開口した形状をなし得る。よって、この開口部を通じて前記絶縁シートの上面を前記筐体の上面に重ね合わせることは容易であり、当該絶縁シートは当該筐体に容易に掛止されてこれに嵌合し得る。また、この逆の作業、即ち嵌合の解除も容易である。更に、このような嵌合及び当該嵌合の解除は、間接活線作業用工具で実現可能である。
【００１１】
また、前記挟持することを解除された前記クリップ手段が前記所定の固定部によって固定された状態で、前記絶縁シートを、前記筐体に嵌合させることは容易である。そこで、例えば、間接活線作業用工具による適宜な操作によって前記クリップ手段で前記筐体を挟持することにより、前記絶縁シートを前記筐体に取り付けることができる。逆に、間接活線作業用工具による適宜な操作によって前記クリップ手段の前記筐体に対する前記挟持を解除すれば、前記絶縁シートを前記筐体から容易に取り外しできる。  
従って、本発明の高圧カットアウトスイッチ用カバーは、間接活線工法によって取り付け及び取り外しが可能である。
【００１２】
また、前記絶縁シートは、当該絶縁シートを前記筐体へ掛止すべく、当該筐体における前記側面に対する背面に相対する掛止部を備えたことが好ましい。  
この高圧カットアウトスイッチ用カバーによれば、前記掛止部によって、前記絶縁シートを前記筐体の上面に対して懸架し易くなる。よって、前記絶縁シートは前記筐体により容易に掛止されてこれに嵌合し得る。従って、本発明の高圧カットアウトスイッチ用カバーの少なくとも取り付けは容易になり、間接活線工法によって可能となる。
【００１３】
また、かかる高圧カットアウトスイッチ用カバーにおいて、前記絶縁シートは、当該絶縁シートを釣支するための釣支部を備えたことが好ましい。  
この高圧カットアウトスイッチ用カバーによれば、前記絶縁シートを適宜な間接活線作業用工具によって釣支することによって、当該絶縁シートを前記筐体の上面に対してより懸架し易くなる。
【００１４】
また、かかる高圧カットアウトスイッチ用カバーにおいて、前記絶縁シートは、平面形状に展開可能な樹脂製シートであることが好ましい。  
この高圧カットアウトスイッチ用カバーによれば、前記絶縁シートは、平面形状に展開可能な樹脂製シートといった柔軟なものから主としてなるため、従来のゴム製のものと比較して形状変化がより良好である。よって、前記絶縁シートは前記筐体に嵌合し易い。また、前記クリップ手段を前記所定の固定部による固定から解除して前記絶縁シートから取り外し、当該絶縁シートを平面形状に展開すれば、本発明の高圧カットアウトスイッチ用カバーの保管や搬送等が容易となる。
【００１５】
また、かかる高圧カットアウトスイッチ用カバーにおいて、前記絶縁シートは、表面に接着部材を備え、当該接着部材どうしの接着又は剥離によって、前記筐体に嵌合する状態と前記平面形状の状態との間で変形することが好ましい。  
この高圧カットアウトスイッチ用カバーは、その保管や搬送時から使用時における組立作業、又はこの逆における展開作業が簡便である。
【００１６】
また、かかる高圧カットアウトスイッチ用カバーにおいて、前記筐体は、前記口出用電線の端部どうしを電気的に遮断又は接続する前記側面たる第１側面と、前記口出用電線が引き出される前記側面たる、前記第１側面に隣接する第２側面とを有する略直方体形状をなし、前記絶縁シートは、前記筐体に嵌合すべく、当該筐体の前記上面、前記第１側面、及び前記第２側面にそれぞれ相対すべき上面部、第１側面部、及び第２側面部を備えてもよい。
【００１７】
また、かかる高圧カットアウトスイッチ用カバーにおいて、前記絶縁シートは、当該絶縁シートが前記筐体に嵌合するときに前記上面部及び前記第２側面部において表面が相互に重なる重複部を更に備えたことが好ましい。  
この高圧カットアウトスイッチ用カバーは、前記重複部は当該重複している分だけ厚みを増すため、絶縁性が向上する。
【００１８】
また、かかる高圧カットアウトスイッチ用カバーにおいて、前記クリップ手段は、間接活線作業用工具によって前記筐体に対する前記挟持又は当該挟持の解除が可能であることが好ましい。
【発明の効果】
【００１９】
例えば高圧引下線の縁線切り離し作業を伴わない間接活線工法によって使用可能な高圧カットアウトスイッチ用カバーを提供できる。
【発明を実施するための最良の形態】
【００２０】
＝＝＝高圧カットアウトスイッチ用カバーの構成＝＝＝
図１に示されるように、本実施の形態の高圧カットアウトスイッチ用カバー３０は、鉛直方向の高さＨ、幅Ｗ、及び奥行Ｄを有する絶縁シート３１ａ、及びクリップ手段３１ｂを備える。
【００２１】
＜＜＜絶縁シート＞＞＞
図２に示される表側の展開図の通り、絶縁シート３１ａは、長方形状をなす正面部（第１側面部）３４における３辺のうち長尺方向の相対する２辺（Ｈ）に対して、長方形状をなす側面部（第２側面部）３６及び側面部（第２側面部）３８がそれぞれ連接し、短尺方向の１辺（Ｗ）に対して、長方形状をなす上面部３２が連接し、一枚のシートとなっている。ここで、上面部３２に対しては、相対する２辺（Ｄ）にて、図１の直方体形状をなすように組み立てた際に側面部３６、３８とそれぞれ重なり合うべき第１重複部３６ａ、３８ａが更に連接している。また、上面部３２に対しては、２辺（Ｄ）と隣接する１辺（Ｗ）にて、コの字形状をなす背面部（掛止部）４２が更に連接している。ここで、背面部４２に対しても、相対する２辺（Ｈ’）にて、図１の直方体形状をなすように組み立てた際に第１重複部３６ａ、３８ａとそれぞれ重なり合うべき第２重複部３６ｂ、３８ｂが更に連接している。このような重複部によって、電気的絶縁がより良好となる。
【００２２】
また、本実施の形態の絶縁シート３１ａは、プラスチック製シート（樹脂製シート）であり、Ｈ、Ｈ’、Ｗ、及びＤの各辺にて山折り可能である。この山折り及び後述する面テープ（接着部材）どうしの接着によって、図２に示される平面形状の絶縁シート３１ａを、図１に示される直方体形状に組み立てることが可能である。逆に、この直方体形状から平面形状に展開することも可能である。
【００２３】
更に、本実施の形態の絶縁シート３１ａにおける側面部３６の鉛直方向上部表側にはオス面テープ３６ｃが設けられており、第１重複部３６ａの裏側に設けられたメス面テープ（不図示）に対して接着及び剥離可能である。同様に、側面部３８の鉛直方向上部表側にはオス面テープ３８ｃが設けられており、第１重複部３８ａの裏側に設けられたメス面テープ（不図示）に対して接着及び剥離可能である。この第１重複部３６ａの表側半分にはオス面テープ３６ｄが設けられており、第２重複部３６ｂの裏側に設けられたメス面テープ（不図示）に対して接着及び剥離可能である。同様に、第１重複部３８ａの表側半分にはオス面テープ３８ｄが設けられており、第２重複部３８ｂの裏側に設けられたメス面テープ（不図示）に対して接着及び剥離可能である。尚、前記した面テープも全て電気的絶縁性を有するプラスチックからなる。
【００２４】
加えて、本実施の形態の絶縁シート３１ａにおける側面部３６の鉛直方向中央部表側には、後述するクリップ手段３１ｂの挟持部５０（図１）の一方を固定するためのループ（所定の固定部）３６ｅが設けられている。尚、図２に示されるように、本実施の形態においては、面テープが適宜設けられたベルト（所定の固定部）３６ｆによって、後述するクリップ手段３１ｂの挟持部５０の一方をループ３６ｅにより確実に固定できる。同様に、本実施の形態の絶縁シート３１ａにおける側面部３８の鉛直方向中央部表側には、後述するクリップ手段３１ｂの挟持部５０の他方を固定するためのループ（所定の固定部）３８ｅが設けられている。尚、図２に示されるように、本実施の形態においては、面テープが適宜設けられたベルト（所定の固定部）３８ｆによって、後述するクリップ手段３１ｂの挟持部５０の他方をループ３８ｅにより確実に固定できる。前記したループ３６ｅ、３８ｅ及びベルト３６ｆ、３８ｆも全て電気的絶縁性を有するプラスチックからなる。
【００２５】
更に加えて、本実施の形態の絶縁シート３１ａにおける正面部３４の鉛直方向上部表側には、後述するヤットコ６０（図３）を先端に備えた絶縁操作棒６２（図３）によって釣支可能な取っ手（釣支部）３４ａが設けられている。尚、この取っ手３４ａも電気的絶縁性を有するプラスチックからなる。
【００２６】
＜＜＜クリップ手段＞＞＞
図１に示されるように、本実施の形態のクリップ手段３１ｂは、互いに閉じるように適宜バネ付勢された２つの挟持部５０を主として備えている。２つの挟持部５０を支持する中央部５２は、当該中央部５２に設けられたトリガ解除紐５４を引くとバネ付勢がロックされるとともに２つの挟持部５０を前述したＷ以上の幅をなすまで開かせる適宜な構成を備えている。一方、この構成は、中央部５２に設けられたロック解除釦５６を押下するとバネ付勢のロックが解除されて２つの挟持部５０を前述したＷ未満の幅をなすまで閉じる機能を有する。尚、本実施の形態のクリップ手段３１ｂの中央部５２に設けられたトリガ解除紐５４は、後述するヤットコ６０を先端に備えた絶縁操作棒６２によって把持して引くことが可能である。よって、ロック解除釦５６は、後述するヤットコ６０を先端に備えた絶縁操作棒６２によって押下することが可能である。
【００２７】
＝＝＝高圧カットアウトスイッチ用カバーの取り付け／取り外し動作＝＝＝
＜＜＜取り付け動作＞＞＞
図面を参照しつつ、本実施の形態の高圧カットアウトスイッチ用カバー３０の取り付け動作について説明する。尚、本実施の形態の高圧カットアウトスイッチ用カバー３０の取り付け対象である高圧カットアウトスイッチ１０の構成は、図５にて例示された構成と同一である。
【００２８】
図３（ａ）に示されるように、絶縁操作棒６２のヤットコ６０によって取っ手３４ａを吊り上げる。これにより、高圧カットアウトスイッチ用カバー３０を釣支し、その開口部を、高圧カットアウトスイッチ１０の筐体１６の正面部側に対して鉛直方向斜め上から対向させる。このとき、絶縁シート３１ａには、ループ３８ｅ及びベルト３８ｆを介してクリップ手段３１ｂが固定されている。ここで、図２に示されるループ３６ｅ及びベルト３６ｆ近傍の構成も図３（ａ）の裏側にあって同様である。クリップ手段３１ｂのトリガ解除紐５４は既に引かれており、よって２つの挟持部５０は、前述したＷ以上の幅をなすまで開いた状態でバネ付勢がロックされている。
【００２９】
図３（ｂ）に示されるように、絶縁操作棒６２のヤットコ６０によって取っ手３４ａを吊り上げたままで当該絶縁操作棒６２を鉛直方向斜め下に押し下げる。これにより、高圧カットアウトスイッチ１０の筐体１６の上面部に対して、高圧カットアウトスイッチ用カバー３０の絶縁シート３１ａにおける上面部３２を重ね合わせる。このとき、絶縁シート３１ａの背面部４２はコの字形状をなしているため、前記した上面部どうしの重ね合わせにおいて立体的障害は生じ難い。この背面部４２によって、絶縁シート３１ａの鉛直方向上部は、筐体１６の鉛直方向上部に対してより良く掛止される。また、絶縁シート３１ａ全体はプラスチックからなる上に、両側面部３６（図２）、３８は正面部３４に対して折り曲げ自在であるために、当該両側面部３６（図２）、３８の形状は柔軟に変化し得る。よって、特に筐体１６の側面部から引き出された口出用電線２６、２８に対しても、絶縁シート３１ａの側面部３８は、当該口出用電線２６、２８を若干折り曲げた状態で被覆できる。
【００３０】
図３（ｃ）に示されるように、絶縁操作棒６２のヤットコ６０の適宜な部分によって、クリップ手段３１ｂの中央部５２に設けられたロック解除釦５６を押下する。これにより、２つの挟持部５０を閉じる方向にバネ付勢させる。このクリップ手段３１ｂにより、高圧カットアウトスイッチ用カバー３０の絶縁シート３１ａにおける両側面部３６（図２）、３８は、高圧カットアウトスイッチ１０の筐体１６における両側部に対して固定される。
【００３１】
＜＜＜取り外し動作＞＞＞
図４（ａ）に示されるように、絶縁操作棒６２のヤットコ６０によって、クリップ手段３１ｂの中央部５２に設けられたトリガ解除紐５４を把持して引き下げる。これにより、２つの挟持部５０を開かせるとともにバネ付勢を解除する。
【００３２】
図４（ｂ）に示されるように、絶縁操作棒６２のヤットコ６０によって取っ手３４ａを吊り上げて鉛直方向斜め上に引き上げる。これにより、高圧カットアウトスイッチ用カバー３０を高圧カットアウトスイッチ１０の筐体１６から取り外す。このとき、高圧カットアウトスイッチ用カバー３０の絶縁シート３１ａには、ループ３８ｅ及びベルト３８ｆを介してクリップ手段３１ｂが固定されたままである。ここで、図２に示されるループ３６ｅ及びベルト３６ｆ近傍の構成も図４（ｂ）の裏側にあって同様である。
【００３３】
前述した高圧カットアウトスイッチ用カバー３０によれば、ゴム製の従来品３００（図５）の場合と比較して、高圧カットアウトスイッチ１０の絶縁被覆の作業工程が簡便となり、当該絶縁被覆もより良好となる。よって、例えばヤットコ６０を先端に備えた絶縁操作棒６２のみを使用する間接活線工法によって取り付け及び取り外しが可能である。また、ループ３６ｅ、３８ｅ及びベルト３６ｆ、３８ｆによる固定を解除して、クリップ手段３１ｂを絶縁シート３１ａから取り外し、当該絶縁シート３１ａを平面形状に展開すれば、保管や搬送等が容易となる。
【００３４】
前述した高圧カットアウトスイッチ用カバー３０によれば、間接活線工法によって当該高圧カットアウトスイッチ用カバー３０の取り付け及び取り外しができることにより、作業時間が短縮されて作業効率が向上するとともに、作業者への負担も軽減されて安全性も向上する。また、柱上からの作業も容易となる。
【００３５】
＝＝＝その他の実施の形態＝＝＝
前述した実施の形態は、本発明の理解を容易にするためのものであり、本発明を限定して解釈するためのものではない。本発明は、その趣旨を逸脱することなく変更、改良されるとともに、本発明にはその等価物も含まれる。
【００３６】
前述した絶縁シート３１ａは、平面形状に展開可能としたが、これに限定されるものではなく、形状変化の柔軟性に富むものであれば、例えば直方体形状に成形されたものであってもよい。
【００３７】
また、前述した絶縁シート３１ａは、当該絶縁シート３１ａを筐体１６へ掛止させるための掛止部としての背面部４２を備えるものとしたが、これに限定されるものではなく、当該背面部４２はなくともよい。但し、この背面部４２を備えていれば、絶縁シート３１ａは、取り付け時に筐体１６に対してより良く掛止される。
【図面の簡単な説明】
【００３８】
【図１】本実施の形態の高圧カットアウトスイッチ用カバーの斜視図である。
【図２】本実施の形態の絶縁シートの展開図である。
【図３】本実施の形態の高圧カットアウトスイッチ用カバーの取り付け工程を説明するための側面図である。
【図４】本実施の形態の高圧カットアウトスイッチ用カバーの取り外し工程を説明するための側面図である。
【図５】高圧カットアウトスイッチ、及び従来の高圧カットアウトスイッチ用カバーの斜視図である。
【符号の説明】
【００３９】
１０  高圧カットアウトスイッチ
１２  腕木                        １４  金具
１６  筐体                        １８  蓋
２０  ヒューズ                    ２２  接触刃
２６、２８  口出用電線
３０、３００  高圧カットアウトスイッチ用カバー
３１ａ  絶縁シート                ３１ｂ  クリップ手段
３２、３２０  上面部
３４ａ        取っ手              ３４、３４０  正面部
３６、３６０、３８、３８０  側面部
３６ａ、３８ａ  第１重複部          ３６ｂ、３８ｂ  第２重複部
３６ｃ、３８ｃ、３６ｄ、３８ｄ  オス面テープ
３６ｅ、３８ｅ  ループ              ３６ｆ、３８ｆ  ベルト
４００  底面部                      ４２    背面部
４４０  管部
５０    挟持部                      ５２    中央部
５４    トリガ解除紐                ５６    ロック解除釦
６０    ヤットコ                    ６２    絶縁操作棒
【図１】
2005251652.tif 000003
【図２】
2005251652.tif 000004
【図３】
2005251652.tif 000005
【図４】
2005251652.tif 000006
【図５】
2005251652.tif 000007